(57)【要約】【課題】遊戯場で店の内外を飾る表示具の類をより印象的なものとし、且つ表示内容の交換作業が簡単であるようにして店に常に新鮮な雰囲気を持たせることを容易にする。【解決手段】表示板を竿に吊り下げるようにした表示具において吊り下げ手段として、竿に取り付けた磁石と表示板に取り付けた鉄片との間の吸着機能を用いて、表示板の着脱操作を単純化すると共に、表示板が竿に対して揺れ動くだけでなく、自由に回転出来るようにして、表示具の視覚的印象を強めた。【選択図】図１
0003124480.tif 000002
【実用新案登録請求の範囲】
【請求項１】
図柄を表した表示板の上縁に鉄片を取り付け、表示板を保持させる竿の先端部に磁石を取り付けて、表示板に取り付けた鉄片を竿に取り付けた磁石に吸着させることで、表示板を竿に吊り下げるようにした吊り下げ型表示具。
【考案の詳細な説明】
【技術分野】
【０００１】
この考案はパチンコ店等の遊戯場で店内装飾とか店前での看板、宣伝用として用いられる表示具で、竿等に吊り下げて用いられる表示具に関する。
【背景技術】
【０００２】
吊り下げ型の表示具は揺れ動くので、固定した表示具よりも印象的で客に認知させる効果が大きい。従来この型の表示具は鍵と吊輪とより成る吊り下げ具の鍵を竿に取り付け、表示板に吊り輪を付けて竿の鍵に掛けるようにしていた。
【考案の開示】
【考案が解決しようとする課題】
【０００３】
上述したような吊り下げ型表示具では表示内容を変える場合、古い表示板を竿の鍵から外し、新しい表示板を竿の鍵に掛けるが、竿は固定されているのが普通で、鍵は高い位置にあるので、表示板の掛け外しは骨の折れる作業であった。また普通の吊り下げ具は吊り下げた物は揺れるが回転は殆ど出来ないので、表示板が自由に回転出来るように、吊輪が自由に回転出来る自在吊り具を用いると、それ自身高価な上、表示板掛け外しの際、吊輪の向きが不定なので、表示板掛け外しの作業が一層困難になる。
【０００４】
本考案は上述したような従来の吊り下げ型表示具の問題点を解消し、安価で、表示板の交換が容易な吊り下げ型表示具を提供しようとするものである。
【課題を解決するための手段】
【０００５】
本考案は竿等と表示板との間の吊り下げ具に磁石と鉄片を用い、両者間の吸引力で表示板を吊り下げるようにしたものである。
【０００６】
紙挟み用のクリップの片面や吊り鍵の台座に磁石を取り付け、スチール家具の側面やロッカー内の天井に付着させてメモや衣服，道具等を吊り下げられるようにした吊り下げ具は多種市販されているが、それらは吊り具を他物に固定する接着剤の代わりに磁石を用いたものでそれ自身を可動にする構造ではない。本考案はこれら市販の吊り下げ具とは発想が異なり、自在吊り具としての機能を磁石と鉄片との間の吸引作用よって実現したものである。
【考案の効果】
【０００７】
本考案の吊り下げ型表示具は竿に取付ける磁石を一つの極面を下向きにして竿に取り付け、表示板に取付ける磁性体（鉄片）は上端を球面に形成して、上記磁石に点接触の状態で吸着されるようにした。このようにすると、磁性体が磁石に対して回転するのに殆ど抵抗が無く、表示板は吊り下げられた状態で自由に回り且つ揺れることが出来るので視覚的印象が強められて宣伝効果が上がり表示板の竿への着脱も吊輪を鍵に通すのに較べ極めて容易であるから、表示板の交換作業も至って簡単になる。
【０００８】
本考案では竿に磁石を一つの極面を下向きにして取り付け、表示板に取付ける磁性体（鉄片）の上端或は上記磁石の下向き極面を球面に形成して、上記磁石と鉄片とが点接触の状態で吸着されるようにした。このようにすると、鉄片が磁石に対して回転するのに殆ど抵抗が無く、表示板は吊り下げられた状態で自由に回り且つ揺れることが出来、表示板の竿への着脱も吊輪を鍵に通すのに較べ極めて容易である。
【考案を実施するための最良の形態】
【０００９】
パチンコ店では常にパチンコ台の更新が必要であり、台を更新したときは、店の宣伝をする好機である。こう言うときに、店の入口や各台夫々に上述した吊り下げ型表示具を用いて店内外を派手にすると宣伝効果が大である。
【実施例】
【００１０】
図１に本考案の一実施例を示す。１が吊り下げ型表示具における表示板で、図柄を両面にインクジェットで印刷した紙を中に挟み、両面にプラスチックシートを重ねて貼り合わせたラミネートシートより成り、所望の形に打ち抜いたものである。２はこの表示板を保持させる竿で、アルミの管である。この管は上部を湾曲させ、先端を平らに潰して孔を開け、磁石３を嵌着してある。磁石３はＮｂ−Ｆｅ−Ｂ系の磁石で直径、高さともに８ｍｍである。磁石３の上端極面には磁気回路のヨークを兼ねて磁石抜け止め用の鉄板４が接着してある。
【００１１】
表示板１の上縁には鉄片５が取り付けてある。鉄片５は直径３ｍｍ，長さ４０ｍｍの丸棒で、上端は尖って見えるが先端は球面状に形成されており、少し下がった所に浅い切り込み５１を入れてそこにＣリング６が嵌めてある。Ｃリング６を嵌めるのは鉄片５が磁石３から離れて表示板１が落ちるのを防ぐための用意で詳細は後述する。鉄片５の表示板１への取り付け方法は任意で、恒久的なことを要しないから簡単な仮止め法、例えば粘着テープで貼り付けると言うようなことで良い。この実施例では表示板１の図柄と似た色の紙７で鉄片５を押さえて表示板１に接着してある。
【００１２】
竿２の先端部分の下面には二又フォーク状の板８が取り付けてある。このフォーク板８と竿２先端下面との間に前記したＣリング６が位置するように表示板１の鉄片５をフォーク板８の二つの指の間に挿入するのである。この構造によって鉄片５が磁石３から離れても、Ｃリング６がフォーク板８に支えられて表示板１の落下は阻止される。
【００１３】
以下に幾つかの変形実施例を述べる。図２は磁石と鉄片との吸着を利用して複数の表示板１，１’を連鎖状に吊り下げた例である。上の表示板１の下縁に前述磁石３と同形同質の磁石３’を取り付け、下の表示板１’の上縁には前述実施例と同様の鉄片５’を取り付けて、上の表示板１の下に吊したものである。磁石３’はアルミ管３１に嵌め込み、このアルミ管３１の端に割を入れて表示板１の下縁を挟みかしめて取付ける。
【００１４】
図３は竿２をアルミの帯板を曲げて作った例である。この例では図１の例におけるフォーク板８は使わず、竿２の先端部分を下側に曲げ、曲げた部分の側縁に切り込み８１を設けてそこに鉄片５を挿入するようにした。
【００１５】
図４は竿２をワイヤ２’とした例で、ワイヤ２’の先端部を巻回して磁石３に巻き付けて磁石を保持させてある。この例では表示板１は単に横に揺れるだけでなく、上下にも揺れる効果がある。
【００１６】
図５の例は磁石３の下端面を球面状にした例である。磁石３の下端面を直接球面状にすると特注磁石になって高価に付くから、一面を球面状に形成した鉄片３２を磁石３の下端面に接着するのが良い。磁石３の下端面を球面状にすると、相手の鉄片５の上端面は平面でも良い。また磁石３の下端面が球面状であるときは磁石３の軸方向が上下方向から多少外れていても、表示板の揺れや回転が安定して行われる効果がある。
【図面の簡単な説明】
【００１７】
【図１】本考案の一実施例を示し、（ａ）は一部分解斜視図、（ｂ）は全体概略図である。
【図２】本考案の他の実施例を示し、（ａ）は主要部概略図、（ｂ）は全体概略図である。
【図３】竿の変形例の説明図である。
【図４】竿の別の変形例の説明図である。
【図５】磁石下端面の別の形の説明図である。
【符号の説明】
【００１８】
１  表示板
２  竿
３  磁石
５  鉄片
８  フォーク板
【図１】
0003124480.tif 000003
【図２】
0003124480.tif 000004
【図３】
0003124480.tif 000005
【図４】
0003124480.tif 000006
【図５】
0003124480.tif 000007